(57)【要約】【課題】構成を簡素化することができる表示装置を提供する。【解決手段】表示装置１３では、複数の表示パネル１４が所定の配列で配置される。個々の表示パネル１４には個々の表示パネル１４ごとに駆動回路が取り付けられる。駆動回路は無線信号の受信に応じて表示パネル１４の駆動信号を出力する。表示装置１３の表示書き換えにあたって送信装置４６が用いられる。送信装置４６は表示パネル１４に無線信号を送信する。こうして駆動回路は駆動信号を出力する。駆動信号に基づき表示パネル１４の表示は書き換えられる。表示の書き換えにあたって無線信号が用いられる。したがって、表示パネル１４および送信装置４６の間に配線は必要とされない。表示装置１３の構成は簡素化されることができる。【選択図】図７
2008096464.tif 000002
【特許請求の範囲】
【請求項１】
所定の配列で配置される複数の表示パネルと、個々の表示パネルごとに個々の表示パネルに取り付けられ、無線信号の受信に応じて表示パネルの駆動信号を出力する駆動回路とを備えることを特徴とする表示装置。
【請求項２】
請求項１に記載の表示装置において、前記表示パネルはメモリ性の表示素子を備えることを特徴とする表示装置。
【請求項３】
請求項１に記載の表示装置において、前記駆動回路には、前記無線信号の受信に応じて駆動電力を生成する電源回路が接続されることを特徴とする表示装置。
【請求項４】
無線信号を送信する送信装置と、所定の配列で配置される複数の表示装置とを備え、表示装置は、表示パネルと、表示パネルに取り付けられ、無線信号の受信に応じて表示パネルの駆動信号を出力する駆動回路とを備えることを特徴とする表示装置ユニット。
【請求項５】
所定の配列で配置される複数の表示パネルに送信装置を向き合わせて、送信装置から表示パネルに向かって発信される無線信号に応じて表示パネルの表示を書き換える工程を備えることを特徴とする表示書き換え方法。
【発明の詳細な説明】
【技術分野】
【０００１】
本発明は、例えば広告に用いられる表示装置に関する。
【背景技術】
【０００２】
屋外の看板や広告に利用される表示装置は例えば発光ダイオード（ＬＥＤ）といった発光素子を備える。発光素子はマトリックス状に配置される。発光素子には電極が取り付けられる。電極には配線が接続される。こうして例えばスタティック駆動方式や単純マトリックス駆動方式で発光素子の点灯が制御される。その結果、表示装置には文字や図形といった画像が表示される。
【特許文献１】特開２００４−５６００４号公報
【特許文献２】特開２００４−１０２８４０号公報
【特許文献３】特開２００４−１２７２７９号公報
【特許文献４】特開平７−６８９７８号公報
【特許文献５】国際公開第２００５／０２４７７４号パンフレット
【発明の開示】
【発明が解決しようとする課題】
【０００３】
こうした従来の表示装置では、発光素子の電極に配線が接続される。電極および配線の接点の数は発光素子の数の少なくとも２倍に上る。その結果、表示装置の構成は複雑化してしまう。
【０００４】
本発明は、上記実状に鑑みてなされたもので、構成を簡素化することができる表示装置を提供することを目的とする。本発明は、そういった表示装置の実現に大いに貢献する表示装置ユニット並びに表示書き換え方法を提供することを目的とする。
【課題を解決するための手段】
【０００５】
上記目的を達成するために、第１発明によれば、所定の配列で配置される複数の表示パネルと、個々の表示パネルごとに個々の表示パネルに取り付けられ、無線信号の受信に応じて表示パネルの駆動信号を出力する駆動回路とを備えることを特徴とする表示装置が提供される。
【０００６】
こうした表示装置では、駆動回路は個々の表示パネルごとに個々の表示パネルに取り付けられる。駆動回路は無線信号の受信に応じて表示パネルの駆動信号を出力する。表示パネルは所定の配列で配置される。駆動信号に基づき表示パネルの表示は書き換えられる。表示の書き換えにあたって無線信号が用いられる。したがって、表示パネルから配線が延びる必要はない。表示装置の構成は簡素化されることができる。
【０００７】
こういった表示装置では、表示パネルはメモリ性の表示素子を備えればよい。メモリ性の表示素子は電力の供給を受けずに表示を維持することができる。したがって、表示装置には電源は必要とされない。前述と同様に、表示装置には配線は必要とされない。表示装置の構成は簡素化されることができる。
【０００８】
駆動回路には、無線信号の受信に応じて駆動電力を生成する電源回路が接続されればよい。こうして表示装置では駆動回路の駆動電力は無線信号の受信に応じて生成される。表示装置には電源が接続される必要はない。表示装置の構成は簡素化されることができる。表示パネルおよび駆動回路は１筐体内に収容されればよい。
【０００９】
第２発明によれば、無線信号を送信する送信装置と、所定の配列で配置される複数の表示装置とを備え、表示装置は、表示パネルと、表示パネルに取り付けられ、無線信号の受信に応じて表示パネルの駆動信号を出力する駆動回路とを備えることを特徴とする表示装置ユニットが提供される。
【００１０】
こうした表示装置ユニットでは、送信装置から送信される無線信号に基づき表示パネルの表示は書き換えられる。表示パネルおよび送信装置の間で配線は必要とされない。表示装置の構成は簡素化されることができる。しかも、送信装置は表示装置と物理的に分離される。送信装置は表示装置の表示書き換え時にのみ利用される。表示装置は軽量化されることができる。
【００１１】
前述と同様に、表示パネルはメモリ性の表示素子を備えればよい。駆動回路には、無線信号の受信に応じて駆動電力を生成する電源回路が接続されればよい。表示パネルおよび駆動回路は１筐体内に収容されればよい。
【００１２】
以上のような表示装置ユニットでは、送信装置から各表示装置に向かって同一の無線信号が発信されればよい。こうして送信装置では各表示装置に向かって一斉に無線信号を発信することができる。このとき、無線信号は相互に同期化されればよい。無線信号の相互干渉は回避される。表示装置では無線信号から例えば所定の情報が抽出されればよい。
【００１３】
第３発明によれば、所定の配列で配置される複数の表示パネルに送信装置を向き合わせて、送信装置から表示パネルに向かって発信される無線信号に応じて表示パネルの表示を書き換える工程を備えることを特徴とする表示書き換え方法が提供される。
【００１４】
こうした表示書き換え方法では、送信装置から送信される無線信号に基づき表示パネルの表示は書き換えられる。表示パネルおよび送信装置の間で配線は必要とされない。表示装置の構成は簡素化されることができる。前述の表示装置の実現に大いに貢献することができる。しかも、送信装置は表示装置と物理的に分離される。送信装置は表示装置の表示書き換え時にのみ利用される。表示装置は軽量化されることができる。
【００１５】
前述と同様に、各表示装置に向かって同一の無線信号が発信されればよい。無線信号は相互に同期化されればよい。
【発明の効果】
【００１６】
以上のように本発明によれば、構成を簡素化することができる表示装置が提供される。
【発明を実施するための最良の形態】
【００１７】
以下、添付図面を参照しつつ本発明の一実施形態を説明する。
【００１８】
図１は広告媒体の一具体例すなわちトラック１１の外観を概略的に示す。このトラック１１の荷台１２には表示装置１３が固定される。表示装置１３は複数の表示パネル１４の集合体で構成される。表示パネル１４は例えば平板状の支持部材１５に固定されればよい。支持部材１５は荷台１２に固定される。支持部材１５上で表示パネル１４は例えばマトリックス状に配列される。ここでは、表示パネル１４は例えば２４行３２列に配置される。各表示パネル１４は表示装置１３の１画素を構成する。表示パネル１４の表示に基づき表示装置１３には文字や図形が表示される。
【００１９】
図２に示されるように、各表示パネル１４は例えばカード状のＲＦＩＤから構成される。表示パネル１４は薄型の筐体１６を備える。筐体１６には例えば方形の表示素子１７が収容される。表示素子１７は単一の色を表示する。色は例えば４０９６色から選択される。表示素子１７はメモリ性の表示素子から構成される。表示素子１７には例えばコレステリック液晶が用いられればよい。こうして表示素子１７は電力の供給を受けることなく半永久的に単一の色を表示し続けることができる。表示素子１７の詳細は後述される。
【００２０】
図３に示されるように、筐体１６は１対の樹脂カバー１８、１８から構成される。樹脂カバー１８には例えば透明なポリエチレンテレフタレート（ＰＥＴ）フィルムが用いられればよい。樹脂フィルム１８、１８の間には表示素子１７およびフィルム基板１９が挟み込まれる。フィルム基板１９は例えば表示素子１７の背面に重ね合わせられる。表示素子１７およびフィルム基板１９は樹脂カバー１８に基づき密閉空間に収容される。こうして例えば雨で表示パネル１４が濡れても、表示素子１７およびフィルム基板１９の浸水は回避される。
【００２１】
フィルム基板１９上には、ＩＣチップ２１と、ＩＣチップ２１に接続されるドライバチップ２２とが実装される。ドライバチップ２２には前述の表示素子１７が接続される。ＩＣチップ２１にはアンテナ線２３が連結される。アンテナ線２３は例えばフィルム基板１９に埋め込まれる。アンテナ線２３は電波すなわち無線信号を受信する。受信した無線信号はＩＣチップ２１に供給される。
【００２２】
図４に示されるように、ＩＣチップ２１には例えば無線信号の送受信回路２５や電源回路２６、不揮発性メモリ２７が組み込まれる。電源回路２６はアンテナ線２３に接続される。電源回路２６は、アンテナ線２３で受信される無線信号に応じて駆動電力を生成する。その一方で、電源回路２６は送受信回路２５に接続される。駆動電力は送受信回路２５に供給される。送受信回路２５はアンテナ線２３に接続される。こうして送受信回路２５はアンテナ線２３から無線信号を発信することができる。
【００２３】
不揮発性メモリ２７には各表示パネル１４の位置情報が記憶される。位置情報は例えば表示パネル１４の行数と列数とを特定する。行数の特定にあたって、例えばトラック１１の上下方向で最上段が１行目に規定される。列数の特定にあたって、例えばトラック１１の前後方向で最前列が１列目に規定される。不揮発性メモリ２７内の情報は送受信回路２５からアンテナ線２３を介して発信されることができる。
【００２４】
ドライバチップ２２には駆動回路すなわちドライバ回路２８が組み込まれる。ドライバ回路２８はＩＣチップ２１の送受信回路２５および電源回路２６に接続される。同様に、ドライバ回路２８は表示素子１７に接続される。ドライバ回路２８には電源回路２６から駆動電力が供給される。こうしてドライバ回路２８は、送受信回路２５から出力される無線信号に応じて表示素子１７に駆動信号を出力する。駆動信号は表示素子１７の表示色を特定する。駆動信号に基づき表示素子１７は特定の色を表示する。
【００２５】
ドライバ回路２８に供給される電力は表示素子１７に供給される。供給される電力に基づき表示素子１７は色を変化させることができる。こうして電源回路２６は送受信回路２５およびドライバ回路２８すなわち表示素子１７の両方の電源を兼ねる。送受信回路２５に供給される電圧は比較的に低く設定される。その一方で、表示素子１７に供給される電圧は比較的に高く設定される。すなわち、電源回路２６は２種類の電圧を供給することができる。
【００２６】
次に、表示素子１７の構造を説明する。図５に示されるように、表示素子１７は、順番に重ね合わせられる３層の液晶層３１、３２、３３を備える。液晶層３１、３２、３３は下段から上段に向かって順番に赤色、緑色、青色を示す。各液晶層３１、３２、３３はそれぞれ１対の透明基板３４、３５に挟み込まれる。透明基板３４、３５には例えば透明な樹脂材料が用いられればよい。透明基板３４、３５の内向き面には透明電極３６、３７が形成される。透明電極３６、３７には例えばＩＴＯが用いられればよい。
【００２７】
上段の液晶層３３の透明基板３５は中段の液晶層３２の透明基板３４に接着される。中段の液晶層３２の透明基板３５は下段の液晶層３１の透明基板３４に接着される。透明電極３６、３７の間で各液晶層３１、３２、３３は封止剤３８で封止される。こうしてコレステリック液晶は透明電極３６、３７および封止剤３８で密閉空間に封入される。最下段の透明基板３５は黒色の光吸収層３９に受け止められる。光吸収層３９は、表示素子１７に入射する光を吸収することができる。
【００２８】
図６に示されるように、透明基板３４、３５および透明電極３６、３７は液晶層３１、３２、３３の輪郭よりも外側に引き出される。各液晶層３１、３２、３３を受け止める下側の透明電極３７、３７、３７はスルーホール４１に接続される。液晶層３１、３２、３３に受け止められる上側の透明電極３６、３６、３６はそれぞれ個別にスルーホール４２、４３、４４に接続される。
【００２９】
こうした表示素子１７では透明電極３６、３７に所定の電圧が供給される。電圧の供給に基づき液晶層３１、３２、３３内で液晶分子の向きは変化する。電圧の供給が停止すると、液晶分子は所定の向きに維持される。こうした液晶分子の向きに応じて各液晶層３１、３２、３３に入射する光の反射が制御される。その結果、表示素子１７では反射の度合いに基づき所定の色が表示される。
【００３０】
図７に示されるように、表示パネル１４の色の変更にあたって送信装置４６が用いられる。送信装置４６は複数のリーダライタ４７を備える。リーダライタ４７の数は表示パネル１４の１列分の数に一致する。リーダライタ４７同士の間隔は表示パネル１４同士の間隔に一致する。リーダライタ４７は搬送機構４８に支持される。搬送機構４８はトラック１１の前後方向に水平移動することができる。このとき、リーダライタ４７および表示パネル１４の間には所定の距離が確保されればよい。こうした距離は無線信号の通信距離に応じて設定されればよい。
【００３１】
図８に示されるように、送信装置４６は制御回路４９および電源回路５１を備える。電源回路５１は制御回路４９に電力を供給する。制御回路４９は各リーダライタ４７に接続される。制御回路４９はリーダライタ４７に制御信号を出力する。制御信号は各表示パネル１４ごとに表示色を特定する。リーダライタ４７は制御信号に基づき無線信号を生成する。生成された無線信号は表示パネル１４に向かって発信される。なお、表示装置１３および送信装置４６は本発明の表示装置ユニットを構成する。
【００３２】
次に、表示装置１３の表示書き換え方法を簡単に説明する。制御回路４９では表示パネル１４の各列ごとに制御信号が生成される。制御信号には、各表示パネル１４の位置を特定する位置情報と、位置情報で特定される各位置の表示パネル１４ごとに色を特定する色情報とが含まれる。位置情報は表示パネル１４の行数と列数とを特定する。こうして各列ごとに生成された複数の制御信号に基づきリーダライタ４７は無線信号を生成する。
【００３３】
搬送機構４８は送信装置４６を１列目に位置決めする。無線信号の発信に先立って、リーダライタ４７および表示パネル１４の間で認証処理が実行される。リーダライタ４７とそのリーダライタ４７に対応する表示パネル１４との間で所定の情報がやり取りされる。認証が完了すると、すべてのリーダライタ４７は、対応する表示パネル１４に向かって１列目の無線信号を一斉に発信する。なお、無線信号は例えばパケット単位で発信されればよい。
【００３４】
各表示パネル１４はアンテナ線２３で無線信号を受信する。電源回路２６は無線信号の受信に基づき電力を生成する。電力はドライバ回路２８に出力される。送受信回路２５で制御信号が受信されると、無線信号内の位置情報と不揮発性メモリ２７内の位置情報とが照合される。不揮発性メモリ２７内の位置情報で特定される位置の色情報が抽出される。色情報はドライバ回路２８に出力される。
【００３５】
ドライバ回路２８は色情報に基づき駆動信号を生成する。駆動信号は表示素子１７の表示色を特定する。駆動信号に基づき表示素子１７の各透明電極３６、３７にはドライバ回路２８から所定の電圧が供給される。こうした電圧に基づき各液晶層３１、３２、３３内で液晶分子の向きが変化する。電圧の供給が停止すると、液晶分子は所定の向きに維持される。こうして１列目の各表示素子１７では所定の色が表示される。
【００３６】
搬送機構４８は送信装置４６を２列目に位置決めする。リーダライタ４７および表示パネル１４の間で認証処理が実行される。すべてのリーダライタ４７は表示パネル１４に向かって２列目の無線信号を一斉に発信する。３列目、４列目…で同様の処理が繰り返される。こうしてすべての列の表示パネル１４で所定の色が表示される。表示装置１３では所定の文字や図形が表示される。その結果、表示装置１３の表示は書き換えられる。
【００３７】
以上のような表示装置１３では、表示パネル１４およびリーダライタ４７の間で無線信号がやり取りされる。無線信号の受信に応じて表示素子１７では所定の色が表示される。こうして表示装置１３の表示書き換えにあたって無線信号が用いられることから、表示パネル１４および送信装置４６の間や表示パネル１４、１４同士の間は配線で接続される必要はない。表示装置１３の構成は簡素化される。
【００３８】
しかも、表示装置１３および送信装置４６は物理的に分離される。送信装置４６は表示書き換え時にのみ利用される。表示装置１３は軽量化されることができる。加えて、表示パネル１４では表示素子１７やフィルム基板１９は樹脂カバー１８、１８で密封される。前述されるように、配線は必要とされないことから、樹脂カバー１８、１８すなわち筐体１６には配線用の開口や接点は一切必要とされない。表示素子１７やフィルム基板１９の浸水は確実に回避される。
【００３９】
図９は広告媒体の他の具体例すなわち飛行船５５の外観を概略的に示す。この飛行船５５の壁面には表示装置１３が固定される。前述と同様に、表示装置１３は複数の表示パネル１４の集合体から構成される。飛行船５５は例えば紡錘状の本体５６を備える。表示パネル１４は本体５６の湾曲面にマトリックス状に配置される。例えば表示パネル１４は２４０行３２０列に配置されればよい。飛行船５５の前後方向で本体５６の径は変化することから、各列ごとに表示パネル１４の大きさは変更されればよい。
【００４０】
図１０に示されるように、表示パネル１４の色の変更にあたって前述の送信装置４６が用いられる。リーダライタ４７の数は表示パネル１４の一列の数に一致すればよい。リーダライタ４７同士の間隔は表示パネル１４同士の間隔に一致する。リーダライタ４７は搬送機構５７に支持される。搬送機構５７は周方向に本体５６を取り囲む。搬送機構５７は飛行船５５の前後方向に水平移動することができる。こうして搬送機構５７は表示装置１３上に送信装置４６を位置合わせすることができる。
【００４１】
図１１に示されるように、搬送機構５７は距離制御機構５８を備える。距離制御機構５８はリーダライタ４７ごとに配置される。距離制御機構５８の働きで、リーダライタ４７は表示パネル１４に近付いたり表示パネル１４から遠ざかったりすることができる。距離制御機構５８には例えばボールねじが用いられればよい。例えばリーダライタ４７および表示パネル１４の間で電界強度が弱い場合にはリーダライタ４７は表示パネル１４に近付けられる。電界強度が強い場合にはリーダライタ４７は表示パネル１４から遠ざけられる。その他、前述と均等な構成や構造には同一の参照符号が付される。
【００４２】
表示装置１３の表示書き換えにあたって、前述と同様に、制御回路４９で表示パネル１４の各列ごとに制御信号が生成される。制御信号に基づきリーダライタ４７で無線信号が生成される。搬送機構５７は送信装置４６を１列目に位置決めする。リーダライタ４７および表示パネル１４の距離が調整される。距離の調整後、リーダライタ４７は表示パネル１４に向かって１列目の無線信号を一斉に発信する。こうして前述と同様に表示素子１７には所定の色が表示される。
【００４３】
位置制御機構は送信装置４６を２列目に位置決めする。飛行船５５の前後方向で本体５６の径は変化することから、列の移動に応じてリーダライタ４７および表示パネル１４の距離は変化する。したがって、距離は列ごとに調整される。リーダライタ４７は表示パネル１４に向かって２列目の無線信号を一斉に発信する。３列目、４列目…で同様の処理が繰り返される。こうしてすべての表示パネル１４で所定の色が表示される。表示装置１３では所定の文字や図形が表示される。
【００４４】
その他、送信装置４６では、リーダライタ４７の無線信号の発信に先立って制御回路４９からリーダライタ４７に基本クロックが入力されてもよい。その結果、リーダライタ４７の基本クロックが調整される。こうしてリーダライタ４７で無線信号の位相が揃えられる。無線信号の発信は相互に同期化される。リーダライタ４７から同一のタイミングで無線信号が発信されることができる。例えば隣接するリーダライタ４７、４７同士の間で無線信号の相互干渉は回避される。
【００４５】
その他、送信装置４６では、制御回路４９で増幅前の無線信号が生成されてもよい。こうして生成された無線信号がリーダライタ４７に入力されてもよい。その結果、リーダライタ４７、４７同士の間で無線信号の生成タイミングのずれは確実に回避される。無線信号の発信は相互に同期化される。リーダライタ４７から同一のタイミングで無線信号が発信されることができる。例えば隣接するリーダライタ４７、４７同士の間で無線信号の相互干渉は回避される。
【００４６】
以上ような表示装置１３では、図１２に示されるように、前述の表示パネル１４に代えて表示パネル６１が用いられてもよい。表示パネル６１ではフィルム基板６２上でＩＣチップ２１およびアンテナ線２３が省略されてもよい。ドライバチップ６３にはアンテナコイルが組み込まれればよい。アンテナコイルに基づき無線信号が受信されればよい。同様に、ドライバチップ６３には電源回路や不揮発性メモリが組み込まれればよい。こうしてフィルム基板６２の構造は簡略化されることができる。
【００４７】
その他、表示パネル１４すなわち表示素子１７の形状は前述の形状に限定されない。表示パネル１４は例えば円形や三角形、平行四辺形といった形状を採用してもよい。同様に、表示パネル１４すなわち表示素子１７の大きさは解像度に応じて変更されてもよい。
【００４８】
（付記１）  所定の配列で配置される複数の表示パネルと、個々の表示パネルごとに個々の表示パネルに取り付けられ、無線信号の受信に応じて表示パネルの駆動信号を出力する駆動回路とを備えることを特徴とする表示装置。
【００４９】
（付記２）  付記１に記載の表示装置において、前記表示パネルはメモリ性の表示素子を備えることを特徴とする表示装置。
【００５０】
（付記３）  付記１に記載の表示装置において、前記駆動回路には、前記無線信号の受信に応じて駆動電力を生成する電源回路が接続されることを特徴とする表示装置。
【００５１】
（付記４）  付記１に記載の表示装置において、前記表示パネルおよび駆動回路は１筐体内に収容されることを特徴とする表示装置。
【００５２】
（付記５）  無線信号を送信する送信装置と、所定の配列で配置される複数の表示装置とを備え、表示装置は、表示パネルと、表示パネルに取り付けられ、無線信号の受信に応じて表示パネルの駆動信号を出力する駆動回路とを備えることを特徴とする表示装置ユニット。
【００５３】
（付記６）  付記５に記載の表示装置ユニットにおいて、前記表示パネルはメモリ性の表示素子を備えることを特徴とする表示装置ユニット。
【００５４】
（付記７）  付記５に記載の表示装置ユニットにおいて、前記駆動回路には、前記無線信号の受信に応じて駆動電力を生成する電源回路が接続されることを特徴とする表示装置ユニット。
【００５５】
（付記８）  付記５に記載の表示装置ユニットにおいて、前記表示パネルおよび駆動回路は１筐体内に収容されることを特徴とする表示装置ユニット。
【００５６】
（付記９）  付記５に記載の表示装置ユニットにおいて、前記送信装置から前記各表示装置に向かって同一の無線信号が発信されることを特徴とする表示装置ユニット。
【００５７】
（付記１０）  付記９に記載の表示装置ユニットにおいて、前記無線信号は相互に同期化されることを特徴とする表示装置ユニット。
【００５８】
（付記１１）  所定の配列で配置される複数の表示パネルに送信装置を向き合わせて、送信装置から表示パネルに向かって発信される無線信号に応じて表示パネルの表示を書き換える工程を備えることを特徴とする表示書き換え方法。
【００５９】
（付記１２）  付記１１に記載の表示書き換え方法において、前記各表示パネルに向かって同一の無線信号が発信されることを特徴とする表示書き換え方法。
【００６０】
（付記１３）  付記１２に記載の表示書き換え方法において、前記無線信号は相互に同期化されることを特徴とする表示書き換え方法。
【図面の簡単な説明】
【００６１】
【図１】広告媒体の一具体例すなわちトラックの外観を概略的に示す側面図である。
【図２】一具体例に係る表示パネルの構造を概略的に示す正面図である。
【図３】一具体例に係る表示パネルの構造を概略的に示す分解斜視図である。
【図４】一具体例に係る表示パネルの構造を概略的に示すブロック図である。
【図５】一具体例に係る表示素子の構造を概略的に示す断面図である。
【図６】一具体例に係る表示素子の構造を概略的に示す平面図である。
【図７】一具体例に係る送信装置の構造を概略的に示す側面図である。
【図８】一具体例に係る送信装置の構造を概略的に示すブロック図である。
【図９】広告媒体の他の具体例すなわち飛行船の外観を概略的に示す側面図である。
【図１０】一具体例に係る送信装置の構造を概略的に示す側面図である。
【図１１】一具体例に係る送信装置の構造を概略的に示す断面図である。
【図１２】他の具体例に係る表示パネルの構造を概略的に示す分解斜視図である。
【符号の説明】
【００６２】
１３  表示装置、１４  表示パネル、１６  筐体、１７  表示素子、２６  電源回路、２８  駆動回路（ドライバ回路）、４６  送信装置、６１  表示パネル。
【図１】
2008096464.tif 000003
【図２】
2008096464.tif 000004
【図３】
2008096464.tif 000005
【図４】
2008096464.tif 000006
【図５】
2008096464.tif 000007
【図６】
2008096464.tif 000008
【図７】
2008096464.tif 000009
【図８】
2008096464.tif 000010
【図９】
2008096464.tif 000011
【図１０】
2008096464.tif 000012
【図１１】
2008096464.tif 000013
【図１２】
2008096464.tif 000014